(57)【特許請求の範囲】
【請求項１】
洗浄装置本体（１）は、内部の上方に上部仕切板（２）と該上部仕切板（２）の下方に下部仕切板（３）を各々設け、該上部仕切板（２）には、略中央にガス侵入口（１３）を設けると共に、端部に洗浄液流下管（２３）を縦設し、該洗浄液流下管（２３）の下端は、排気ガス室（１２）に設けた洗浄液戻り室（２５）に連通し、該ガス侵入口（１３）には、上部に分離室（８）を設けると共に、該分離室（８）の内部に多数の翼片（１０）を設けた分散室（９）を形成し、該分散室（９）には、上方の供給管（６）に連結した洗浄液注入口（５）を装設し、該供給管（６）には、所定間隔を設けて多数の高圧噴射ノズル（７）を形成し、該高圧噴射ノズル（７）を該分離室（８）の入口に噴射し、且つ該下部仕切板（３）には、ガス侵入口（１４）を穿設すると共に、洗浄液流下管（２４）を縦設し、該ガス侵入口（１４）には、上部に下部分離室（１９）を配設し、該下部分離室（１９）は、内部の排気ガスを左右に分ける仕切壁（２０）を設けると共に、相対するガス排出口（１８）を形成し、該下部分離室（１９）には、外周に第２洗浄液注入口（１５）を連設した第２供給管（１６）を装設し、該第２供給管（１６）には、相対する位置に垂下した高圧噴射ノズル（１７）を設け、該高圧噴射ノズル（１７）の先端を該ガス排出口（１８）に対応排出することを特徴とする排気ガス洗浄装置。
【発明の詳細な説明】
【技術分野】
【０００１】  本発明は、工場及び工事現場、各種の研究室、実験室、地下作業所等のあらゆる場所に設置して、埃、悪臭、有毒ガス等を綺麗に排除するための排気ガス洗浄装置に関するものである。
【背景技術】
【０００２】  従来この種の排気ガス洗浄装置は、図７に示す如く、排気ガス装置本体（３０）の内部に各種の充填材（２９）を収納し、該充填材（２９）の下部に排気ガス流入口（２６）及び上部に噴出ノズル（２８）を設けた洗浄液入口（２７）を設けたものが一般に使用されている現状である。
【発明の開示】
【発明が解決しようとする課題】
【０００３】  本発明は、上記従来の欠点に鑑みてなされたものであり、洗浄装置本体の内部に収納した各種の充填材が使用中に容易に目詰まりが発生し、排気ガスの通過が減少して困難になり、且つ常時清掃を頻繁に実施する必要がある。また、充填材を洗浄するための取り出し扉等を装設する必要も生ずるものである。
本発明の主とする所は、これ等の面倒で困難な点を改良解決して、長期間に亘って目詰まりが生ぜず、排気が容易であって排気ガスを確実に洗浄する排気ガス洗浄装置を提供するものである。
【課題を解決するための手段】
【０００４】  本発明の排気ガス洗浄装置は、洗浄装置本体（１）の内部に上部仕切板（２）を設け、その中央にガス侵入口（１３）と端部に洗浄液流下管（２３）を装設してある。該ガス侵入口（１３）には、上部に分離室（８）とその内部に多数の翼片（１０）を設けて分散室（９）を形成してある。また、該分離室（８）には上方に供給管（６）を設けた洗浄液注入口（５）を装設してある。該供給管（６）には、多数の高圧噴射ノズル（７）（７）を形成して分散室（９）に対応してある。
更に、洗浄装置本体（１）の上部仕切板（２）の下部に下部仕切板（３）を設け、その下部仕切板（３）には、ガス浸入口（１４）を穿設すると共に、洗浄液流下管（２４）を縦設してある。該ガス浸入口（１４）には、上部に下部分離室（１９）を設け、その下部分離室（１９）は、内部に排気ガスを左右に分ける仕切壁（２０）を設けて相対するガス排出口（１８）を形成する。該下部分離室（１９）には、外周に第２洗浄液入口（１５）を連接した第２供給管（１６）を装設する。また、該第２供給管（１６）には、相対する位置に垂下する高圧噴射ノズル（１７）（１７）を設ける。また、該高圧噴射ノズル（１７）（１７）をガス排出口（１８）に対応したものである。
【発明の効果】
【０００５】  以上のように構成された本装置によれば、従来の欠点である充填材を使用しないので、充填材による目詰まりが解決される効果と、充填材を常時に亘って洗浄する面倒な手間が解決されると共に、排気ガスの通過が著しく良好となる効果がある。そして、上部仕切板のガス侵入口の上部に分離室を設け、分離室の内部に多数の翼片による分散室を形成したので、下部から浸入する排気ガスは、該翼片によって誘導されて勢い良く排気ガスが排出される効果と、分離室の上部に設けた高圧噴射ノズルを設けた供給管により、排気ガスはノズルから噴出する洗浄液によって強力に中和洗浄され悪臭や有毒ガスを綺麗に取り除くと共に、目詰まりがなく排気できる効果がある。
さらに、洗浄装置本体の上部仕切板の下方に設けた下部仕切板のガス浸入口の上部に下部分離室を装設したので、排気ガス流入口よりの排気ガスは、最初に該下部分離室内で予め洗浄され、その後上部に設けた分離室で再度の洗浄が可能となるため、完全に脱臭等を取り除く優れた効果がある。また、下部分離室に設けた仕切壁によって、侵入ガスを左右に二分して排気ガスの勢力を増加する効果と、該下部分離室のガス排出口には、外周に設けた第２供給管の高圧噴射ノズルを対応したので、ノズルからの洗浄液は、流出する排気ガスの埃、悪臭、有毒ガスを完全に洗浄排除する効果がある。
【発明を実施するための最良の形態】
【０００６】  洗浄装置本体（１）には、上部仕切板（２）の上部に分離室（８）を設け、下部の下部仕切板（３）の上部に下部分離室（１９）を各々装設する。該下部仕切板（３）には、下部よりの排気ガス流入口（１１）の排気ガスを内部のガス浸入口（１４）より浸入させ、最初に下部分離室（１９）のガス排出口（１８）（１８）において、外周に設けた第２供給管（１６）の高圧噴射ノズル（１７）によって洗浄され、その後上昇した排気ガスは、再度上部の分離室（８）を通過して供給管（６）の高圧噴射ノズル（７）によって再度洗浄処理され、上昇する排気ガスは上部に設けた強制排気ダクト（２２）によって外部に容易に排気するものである。なお、本発明は、上部の分離室（８）と下部分離室（１９）とは、各々別個に作動可能であると共に、両方を同時に作動することによって多量の洗浄効果を達成するものである。
【実施例】
【０００７】  次に、本発明の実施例を図面について説明すると、図１において、洗浄装置本体（１）は、硬質合成樹脂製より円形状又は方形状等より成形され、その内部には、上方に上部仕切板（２）と、下方に下部仕切板（３）を装設する。
該上部仕切板（２）には、中央部分にガス浸入口（１３）を穿設すると共に、一端縁に縦方向の洗浄液流下管（２３）を縦設してある。次に該ガス浸入口（１３）の上部には、分離室（８）を配設してある。該分離室（８）は、略円形状に形成され、その下面は開放され、上面は閉塞されている。該分離室（８）には、内部に先端が開放される多数の翼片（１０）（１０）…を円形状に設けて、該翼片（１０）（１０）の間に排出する多数の出口となる分散室（９）（９）…を形成している。【０００８】  また、該分離室（８）には、図２に示す如く、上方に洗浄液注入口（５）を連接した供給管（６）を装設してある。この供給管（６）には、所定間隔を設けて下向の高圧噴射ノズル（７）を形成してある。該高圧噴射ノズル（７）は、その洗浄液の噴射方向を該分散室（９）（９）に向けて対応噴射するように装設してある。【０００９】  次に、図１に示す下部分離室（１９）は、該下部仕切板（３）の上部に位置し、その中央部分にガス浸入口（１４）を設け、該ガス浸入口（１４）は、排気ガス流入口（１１）よりの排気ガスが排気ガス室（１２）を経て通過する入口が役目を果している。
また、該下部分離室（１９）は、図３に示す如く、内部に浸入する排気ガスを左右に分離する仕切壁（２０）を設け、相対応するガス排出口（１８）（１８）を形成してある。該下部分離室（１９）には、外周に方形状等よりなる第２洗浄液注入口（１５）を連結した第２供給管（１６）を装設する。その第２供給管（１６）には、相対向する位置に所定間隔を設けて下方に垂下した高圧噴射ノズル（１７）（１７）…を形成してある。該高圧噴射ノズル（１７）（１７）の噴射口は、該ガス排出口（１８）（１８）に相対して噴射するようになっている。また、該下部仕切板（３）の端部には、洗浄液戻り室（２５）に至る洗浄液流下管（２４）を垂下形成してある。なお、該洗浄装置本体（１）の上部には、内部に円形板を半月状に形成した湾曲板（２１）を収納した強制遠心排気ダクト（２２）を装設したものである。
【図面の簡単な説明】
【００１０】
【図１】  本発明の排気ガス洗浄装置の内部を開示した一部欠除した縦断正面図である。
【図２】  同じく本発明の図１Ａ−Ａ線の横断平面図である。
【図３】  本発明の下部分離室の拡大断面図である。
【図４】  同じく本発明の図３Ｂ−Ｂ線の横断平面図である。
【図５】  本発明の分離室の横断平面図である。
【図６】  同じく本発明の強制遠心排気ダクトの横断平面図である。
【図７】  従来のガス洗浄装置の縦断正面図である。
【符号の説明】
【００１１】１          洗浄装置本体
２          上部仕切板
３          下部仕切板
５          洗浄液注入口
６          供給管
７、１７    高圧噴射ノズル
８          分離室
９          分散室
１０        翼片
１１        排気ガス流入口
１２        排気ガス室
１３、１４  ガス侵入口
１５        第２洗浄液注入口
１６        第２供給管
１８        ガス排出口
１９        下部分離室
２０        仕切壁
２１        湾曲板
２２        強制遠心排気ダクト
２３、２４  洗浄液流下管
２５        洗浄液戻り室
２６        排気ガス流入口
２７        洗浄液入口
２８        噴出ノズル
２９        充填材
３０        排気ガス装置本体
３１        洗浄液流下室
【図１】
0004586988.tif 000002
【図２】
0004586988.tif 000003
【図３】
0004586988.tif 000004
【図４】
0004586988.tif 000005
【図５】
0004586988.tif 000006
【図６】
0004586988.tif 000007
【図７】
0004586988.tif 000008